(57)【要約】【課題】弁ハウジングのボス部に組み付けられる軸受の組付状態を確実にし、ボス部の外周面の外観も損なわれることのない切換弁における弁体の切換操作機構を提供する。【解決手段】弁ハウジング１７のボス部１７ｍに軸受２８を嵌入する。この軸受２８の中心に形成された軸受孔２８ａに対し弁体の開閉操作を行うための回動操作軸３１を挿入する。前記弁ハウジング１７のボス部１７ｍに形成した貫通孔１７ｓから軸受２８に形成されたネジ孔２８ｄにビス３０を螺合する。同じくボス部１７ｍに形成された貫通孔１７ｔから軸受２８に形成された挿入孔２８ｉに位置決め用のピン５１を挿入して係止する。前記ピン５１の先端部に形成された半球状部５１ａをボス部１７ｍの外周面から突出させ、この半球状部５１ａを弁体の吐出モードの切り換え用の操作つまみの三つの吐出モードのいずれか一つのモードの基準となる目印とする。    【選択図】      図４
2004218653.tif 000002
【特許請求の範囲】
【請求項１】
弁ハウジングに設けた弁室に対し原水の流路を切り換えるための弁体を回動操作軸により回動して位置の切換可能に収容し、弁ハウジングに設けたボス部の内周面に対し前記回動操作軸を支持する軸受を嵌入し、前記回動操作軸の外端部に操作つまみを連結した切換弁において、
前記弁ハウジングのボス部の外周面から位置決め用のビスを前記軸受に螺合するとともに、位置決め用のピンを前記軸受に挿入固定し、該位置決めピンの外端部に前記操作つまみの外周面に設けた複数の吐出モードの基準となる目印の機能を付与したことを特徴とする切換弁における弁体の切換操作機構。
【請求項２】
請求項１において、前記位置決め用のピンは外端部が球面状に形成されている切換弁における弁体の切換操作機構。
【請求項３】
請求項１又は２において、前記位置決め用のピンの基端部にはスリットが形成され、該スリットと対応する位置決めピンの外周面には係止凸部が形成され、この係止凸部は前記軸受の挿入孔の内周面に形成された係止凹部に係止されている切換弁における弁体の切換操作機構。
【発明の詳細な説明】
【０００１】
【発明の属する技術分野】
本発明は、例えば水道の蛇口に用いられ、原水をそのままストレートで吐出したり、シャワーで放出したり、浄水器或いは湯沸かし器等の水質改善、加熱装置に供給したりすることができる切換弁における弁体の切換操作機構に関するものである。
【０００２】
【従来の技術】
水道の蛇口に装着される切換弁は、蛇口から原水をストレートに吐出する原水ストレートモードと、原水をシャワーモードで放出する原水シャワーモードと、原水を一旦外部に配置した浄水器に供給し浄水をそのままストレートに吐出する浄水ストレートモードとの間で切り換えられるようになっていた。この切換弁として従来、次のようなものが提案されている。すなわち、弁ハウジングに形成した収容室の所定位置において往復回動される横円柱状のスプールを外部操作可能な操作つまみによって往復回動可能に収容する。前記スプールには弁ハウジングに形成された原水の導入口と、複数の原水通路とをそれぞれ連通可能な複数の連通路を形成する。前記各連通路には球状の弁体を収容する。そして、前記操作つまみを操作してスプールを回動すると、複数の球状弁体が原水通路の始端開口、つまり弁孔を開放又は閉鎖し、前記３つの吐出モードの間で、択一的な切り換えが行われるようになっている。
【０００３】
前記操作つまみの外周面には前記３つの吐出モードが円周方向に所定のピッチで表示されていて、前記弁ハウジングの前記スプールを支持するボス部の外周面には前記操作つまみの３つの吐出モードのいずれか１つと対応するように基準となる表示突起又は表示線等の目印が設けられている。
【０００４】
【発明が解決しようとする課題】
ところが、上記従来の切換弁は、前記軸受がボス部に対し一つのビスにより締付固定されているだけであったので、ボス部と軸受の結合が弱く、回動操作軸を操作つまみにより回動する際に、軸受の位置が微妙に変化し、組付状態を安定して保持することができないという問題があった。なお、ビスを二つ用いてボス部と軸受を確実に固定することも考えられるが、ビスの頭部が前記ボス部の外周面に露出すると、外観が損なわれるという別の問題が生じる。
【０００５】
又、弁ハウジングのボス部の外周面に設けられた表示突起又は表示線等の目印は、単にそれだけの機能を備えているのみであり、前記軸受をボス部に連結する機能は有していなかった。
【０００６】
本発明は、上記従来の技術に存する問題点を解消して、弁ハウジングのボス部に組み付けられる軸受の組付状態を確実にし、ボス部の外周面の外観も損なわれることのない切換弁における弁体の切換操作機構を提供することにある。
【０００７】
【課題を解決するための手段】
上記問題点を解決するために、請求項１に記載の発明は、弁ハウジングに設けた弁室に対し原水の流路を切り換えるための弁体を回動操作軸により回動して位置の切換可能に収容し、弁ハウジングに設けたボス部の内周面に対し前記回動操作軸を支持する軸受を嵌入し、前記回動操作軸の外端部に操作つまみを連結した切換弁において、前記弁ハウジングのボス部の外周面から位置決め用のビスを前記軸受に螺合するとともに、位置決め用のピンを前記軸受に挿入固定し、該位置決めピンの外端部に前記操作つまみの外周面に設けた複数の吐出モードの基準となる目印の機能を付与したことを要旨とする。
【０００８】
請求項２に記載の発明は、請求項１において、前記位置決め用のピンは外端部が球面状に形成されていることを要旨とする。
請求項３に記載の発明は、請求項１又は２において、前記位置決め用のピンの基端部にはスリットが形成され、該スリットと対応する位置決めピンの外周面には係止凸部が形成され、この係止凸部は前記軸受の挿入孔の内周面に形成された係止凹部に係止されていることを要旨とする。
【０００９】
【発明の実施の形態】
以下、本発明を具体化した切換弁の一実施形態を図面に従って説明する。
図１０に示すように、切換弁１１は蛇口１２の先端開口部に取り付けられ、蛇口１２に設けた開閉弁１３を回動操作することにより原水を第１導管１４を介して浄水器１５に導くようになっている。又、この浄水器１５により浄化された浄水を切換弁１１に導入し、この浄水をストレートで吐出するようになっている。又、切換弁１１は原水をストレートで吐出するモードと、同じく原水をシャワーで放出するシャワーモードとの間でも切換可能に構成されている。
【００１０】
切換弁１１を構成する弁ハウジング１７は、その上部に図１、図３及び図９に示すように前記蛇口１２から原水を導入する導入口１７ａを形成したボス部１７ｂが一体に形成されている。前記ボス部１７ｂの内周面にはパッキン１８が嵌入され、蛇口１２の先端縁をパッキン１８の開口に貫通した状態で、前記ボス部１７ｂの外周に形成した雄ネジ部に締付けナット１９を螺合することにより切換弁１１を蛇口１２に装着するようにしている。
【００１１】
前記弁ハウジング１７内には、図７に示すように有底横円筒状をなす弁室１７ｃが形成され、その右端部は外部に開口されている。この弁室１７ｃは前記導入口１７ａと連通路１７ｄによって連通されている。この弁室１７ｃの底面（図１，２，７，８の左端内頂面）には、図１２に示すように第１開口〜第３開口１７ｅ，１７ｆ，１７ｇが弁室１７ｃの水平方向に指向する中心軸線を中心とする同一円周上において所定等間隔（この実施形態では１２０°毎に３箇所）に形成されている。前記第１開口１７ｅには第１原水通路１７ｈが連通されている。第２開口１７ｆには第２原水通路１７ｉが連通され、第３開口１７ｇには第３原水通路１７ｊが連通されている。前記第１原水通路１７ｈの中間部には弁収容室１７ｋが形成され、この弁収容室１７ｋには熱水防止弁２０が収容されている。この熱水防止弁２０は図２に示すように弁収容室１７ｋ内に収容されたスプール弁２１Ａと、弁収容室１７ｋ内の温度を検知して伸縮する形状記憶合金バネ２１Ｂと、バイアス用のバネ２１Ｃとにより構成されている。同じく弁収容室１７ｋの先端部には定量栓ホルダー２２を介して原水の流量を定量化する定量栓２３が取り付けられている。前記定量栓２３にはフランジ２４を介して前記第１導管１４が接続されている。
【００１２】
又、図２、図３及び図８に示すように弁ハウジング１７には浄水導入口１７ｌが形成され、この浄水導入口１７ｌにはフランジ２５を介して、前記第２導管１６が接続されている。前記浄水導入口１７ｌには図３に示すように浄水通路１７ｎが連通され、浄水をストレートで下方に吐出するようになっている。前記第２原水通路１７ｉは原水を下方に導き、シャワーモードで下方に放出する。第３原水通路１７ｊは原水を下方に導き、ストレートモードで下方に吐出する。
【００１３】
前記弁室１７ｃの底面には例えばＥＰＤＭ（エチレン・プロピレン・ジェン・ラバー）ゴム等のゴム材よりなる円盤状の弁座２６が所定位置において回動不能に収容されている。この弁座２６には図１２に示すように前記第１開口〜第３開口１７ｅ，１７ｆ，１７ｇと対応するように、第１弁孔〜第３弁孔２６ａ，２６ｂ，２６ｃが形成されている。前記第１弁孔〜第３弁孔２６ａ，２６ｂ，２６ｃの周縁にはシールリング部２６ｄが形成されている。前記第１〜第３弁孔２６ａ，２６ｂ，２６ｃの裏面（図１，２，１２において左）側には前記第１開口〜第３開口１７ｅ，１７ｆ，１７ｇの周辺に一体形成した環状の係合突条１７ｏ〜１７ｏを係合するための係合凹部２６ｅ（図１参照）が形成されている。そして、弁室１７ｃの底部において弁座２６が回動しないようにしている。
【００１４】
前記弁座２６と対応するように、前記弁室１７ｃ内には、円盤状の弁体２７が収容されている。この弁体２７には前記第１弁孔〜第３弁孔２６ａ，２６ｂ，２６ｃのいずれか１つと連通可能な第１及び第２ポート２７ａ，２７ｂが１８０°隔てて等間隔に形成されている。この弁体２７の外周面にはリング部２７ｃが一体に形成され、弁室１７ｃの内周面に軽く接触するようにしている。弁体２７の上流側の表面（図１２において右側）は受圧面２７ｄとなっていて、導入口１７ａから弁室１７ｃ内に導かれた原水の水圧を受けるようになっている。そして、この水圧により弁体２７の裏面がシールリング部２６ｄに押し付けられ、シールリング部２６ｄと弁体２７との接触面のシールを行うようになっている。前記受圧面２７ｄにはボス部２７ｅが複数箇所に一体に形成されている。この弁体２７を回動することにより弁室１７ｃの原水を弁座２６の第１〜第３弁孔２６ａ，２６ｂ，２６ｃのいずれか１つに供給するようになっている。
【００１５】
次に、前記弁体２７の切換操作機構について説明する。
前記弁室１７ｃの内周面には図１，２に示すように、軸受２８が嵌入され、この軸受２８の中心部に形成した軸受孔２８ａには回動操作軸３１が所定の角度範囲内において往復回動可能に支持されている。前記軸受２８の外周面に形成した環状係合溝２８ｂには、シールリング２９が係合され、軸受２８の外周面と弁室１７ｃの内周面との間のシールを行うようになっている。前記軸受２８の外周面には複数箇所に位置規制突起２８ｃが一体的に外方に向かって突出形成され、前記弁室１７ｃの内周面に形成した係合凹部に係合されている。そして、弁室１７ｃ内において、軸受２８がその軸線の周りで回動しないようになっている。前記軸受２８の外周面にはネジ孔２８ｄが形成され、図２に示すように弁ハウジング１７のボス部１７ｍに外周からビス３０を内側に貫通して前記ネジ孔２８ｄに螺合することにより軸受２８を弁室１７ｃ内の所定位置に固定している。
【００１６】
前記回動操作軸３１の軸本体３１ａは横円柱状に形成され、その先端部には、フランジ部３１ｂが一体に形成されている。このフランジ部３１ｂには前記弁体２７の複数のボス部２７ｅの係合孔に進退可能に挿入される係合ピン３１ｃが一体に突出形成されている。前記フランジ部３１ｂの中心部にはバネ保持部３１ｄが前記弁体２７に向かって一体的に突出形成されている。このバネ保持部３１ｄの外周面にはコイル状をなす付勢部材としてのバネＢが支持され、バネＢの先端が前記弁体２７に一体形成したバネ保持用のボス部２７ｆに保持されている。このバネＢにより前記弁体２７を常には弁座２６側に付勢するようになっている。
【００１７】
前記回動操作軸３１の外周面と前記軸受２８の軸受孔２８ａ内周面との間にはシールリング３２が介在されている。前記回動操作軸３１の外端部には操作つまみ３３がビス３４によって締め付け固定されている。前記ビス３４は前記操作つまみ３３の小孔３３ａから前記回動操作軸３１のネジ孔３１ｅに螺合されている。操作つまみ３３には操作レバー３３ｂが一体に形成されている。
【００１８】
次に、前記操作つまみ３３を回動操作することにより前述した３つの吐出モードのいずれか一つの吐出モードに操作つまみ３３を保持することができるモード保持機構について説明する。
【００１９】
前記軸受２８の外面（図２，図１２において右側面）側には第１〜第３係合凹部２８ｅ，２８ｆ，２８ｇが前記回動操作軸３１の回動軸線を中心とする同一円周上に所定の間隔（この実施形態では６０°）をおいて形成されている。これらの第１〜第３係合凹部２８ｅ，２８ｆ，２８ｇのいずれか一つと対応するように、前記操作つまみ３３の内側壁部には図２に示すようにバネ収容凹部３３ｃが形成されている。このバネ収容凹部３３ｃに収容された付勢バネ３６によって係合ボール３５を前記第１〜第３係合凹部２８ｅ，２８ｆ，２８ｇのいずれか一つに押圧し、弁体２７、回動操作軸３１及び操作つまみ３３等を選択された吐出モードに保持するようになっている。
【００２０】
前記弁ハウジング１７の下端部には図１に示すようにボス部１７ｐが一体に形成され、このボス部１７ｐの内周面には、整流板４０が嵌入されている。この整流板４０には図１３に示すように多数の整流孔４０ａが形成され、前記第３原水通路１７ｊ及び浄水通路１７ｎの下端開口と連通するように開口４０ｂ，４０ｃが形成されている。前記整流板４０の下面側にはシャワープレート４１がシールリング４２を介して接合されている。図１及び図１１に示すようにこのシャワープレート４１には小孔４１ａが多数箇所に形成され、前記第２原水通路１７ｉから原水をシャワー状態にして外部に放出するようになっている。前記ボス部１７ｐの外周面に形成した雄ネジ部には、ジョイントリング４３が螺合され、整流板４０及びシャワープレート４１を所定位置に締め付け固定している。
【００２１】
図１３に示すように、前記シャワープレート４１には浄水を下方に吐出するための案内筒４１ｂが形成されている。又、前記シャワープレート４１には原水をそのまま外部に吐出するための案内筒４１ｃが形成されている。前記浄水の案内筒４１ｂには図３に示すようにストレーナ４４が設けられている。前記原水の案内筒４１ｃには水切り４５及びストレーナー４６が設けられている。
【００２２】
図１及び図４に示すように、前記弁ハウジング１７には前記弁収容室１７ｋと対応するように安全装置５０が設けられている。この安全装置５０は弁収容室１７ｋ内の原水の圧力が設定値以上になったときに、弁収容室１７ｋ内の原水を外部に排出するようになっている。
【００２３】
次に、この発明の特徴的構成を図４〜図６に基づいて説明する。
図４に示すように前記ボス部１７ｍには前記ビス３０を貫通するための孔１７ｓが形成され、ボス部１７ｍの内部に形成された内周面１７ｒに嵌入された軸受２８には、前記ビス３０を螺合するネジ孔２８ｄが形成されている。前記軸受２８には位置決め用のピン５１を嵌入するための挿入孔２８ｉを形成した台座２８ｈが一体に形成されている。前記ピン５１の先端部はほぼ半球状に形成され、この半球状部５１ａはボス部１７ｍに形成された貫通孔１７ｔの開口端から外部に若干突出され、この部分が吐出モードの基準となる目印として機能する。すなわち、ピン５１の半球状部５１ａは前記操作つまみ３３の外周面に形成された三つの吐出モード表示用の文字及び図形（図１０の原水ストレート、浄水ストレート、原水シャワー参照）のいずれか１つと対応するようになっている。
【００２４】
前記位置決め用のピン５１の基端部には図５に示すようにスリット５１ｂが切り欠き形成され、基端部外周面には緩やかな円弧状をなす係止凸部５１ｃが一体に形成されている。
【００２５】
上記ピン５１の係止凸部５１ｃは、図４及び図５に示すように軸受２８の挿入孔２８ｉの内周面に形成された緩やかな円弧状をなす係止凹部２８ｊに係止されるようになっている。ピン５１を前記貫通孔１７ｔから挿入孔２８ｉに挿入すると、前記スリット５１ｂの作用により両係止凸部５１ｃが互いに接近するように弾性変形されて、係止凹部２８ｊに係合される。
【００２６】
次に、前記のように構成した切換弁１１について、その動作を説明する。
図１４（ａ）は弁座２６の第２弁孔２６ｂに対し弁体２７の第２ポート２７ｂが対応して、第１ポート２７ａは第１弁孔２６ａと第３弁孔２６ｃの間に保持された状態を示す。この状態においては弁室１７ｃから原水が第２ポート２７ｂ、第２弁孔２６ｂ，第２開口１７ｆ、第２原水通路１７ｉを流れ、整流板４０の整流孔４０ａ、シャワープレート４１の小孔４１ａを通って、外部にシャワー状態で放出される。
【００２７】
前記弁体２７が図１４（ａ）に示す状態において、操作つまみ３３の操作レバー３３ｂによって、時計回り方向に６０度回動されると、図１４（ｂ）に示すように弁体２７の第２ポート２７ｂは第２弁孔２６ｂから離隔し、第１ポート２７ａが第１弁孔２６ａに連通される。このため原水が第１ポート２７ａ，第１弁孔２６ａ，第１開口１７ｅ，第１原水通路１７ｈを通る。その後、熱水防止弁２０及び定量栓２３を通りフランジ２４から第１導管１４によって浄水器１５に導かれる。従って、原水から浄水に変化された浄水が浄水導入口１７ｌ、浄水通路１７ｎ、案内筒４１ｂを通し、外部に吐出される。前記弁収容室１７ｋ内の温度が所定の温度以上になると、前記形状記憶合金バネ２１Ｂが作動されて、スプール弁２１Ａにより定量栓２３が閉塞され、熱水の逆流が阻止される。
【００２８】
さらに、前記弁体２７が図１４（ｂ）に示す状態において、操作つまみ３３の操作レバー３３ｂの回動により時計回り方向に６０°だけ回動されると、図１４（ｃ）に示すように第１ポート２７ａが第１弁孔２６ａから離隔され、第２ポート２７ｂが第３弁孔２６ｃに連通される。このため弁室１７ｃ内の原水は第２ポート２７ｂ、第３弁孔２６ｃ，第３開口１７ｇ、第３原水通路１７ｊ及び案内筒４１ｃを通ってストレートに放出される。
【００２９】
上記実施形態の切換弁によれば、以下のような特徴を得ることができる。
（１）上記実施形態では、前記ボス部１７ｍの内周面１７ｒに嵌入された軸受２８に対し、ネジ孔２８ｄを形成し、このネジ孔２８ｄにビス３０を螺合して、ボス部１７ｍに軸受２８を締め付け固定する。又、挿入孔２８ｉを有する台座２８ｈを形成し、この挿入孔２８ｉに対し、位置決め用のピン５１を挿入固定する。さらに、このピン５１にボス部１７ｍと軸受２８を固定する機能と、操作つまみ３３に形成された図１０に示す３つの吐出モード（原水ストレート、浄水ストレート、原水シャワー）のうちのいずれか一つの吐出モードの基準となる目印の機能を付与するようにした。このため、弁ハウジング１７のボス部１７ｍに組み付けられる軸受２８の組付状態を確実にすることができ、ボス部１７ｍの外周面の外観も損なわれることはない。又、１つのピン５１により、２つの機能を発揮することができ、部品点数を低減して、製造及び組み付け作業を容易に行いコストの低減を図ることができる。
【００３０】
（２）上記実施形態では、前記位置決め用のピン５１の基端部に対しスリット５１ｂと係止凸部５１ｃを形成したので、位置決めピン５１を所定位置に確実に挿入係止することができる。
【００３１】
（３）上記実施形態では、前記位置決め用のピン５１の先端部に半球状部５１ａを形成したので、目印としての外観を向上することができるとともに、指が接触したときの感触を良くすることができる。
【００３２】
（４）上記実施形態では、弁ハウジング１７の弁室１７ｃに対し第１〜第３開口１７ｅ，１７ｆ，１７ｇを形成した。弁室１７ｃの底部に弁座２６を接合し、この弁座２６に対し弁体２７を接触させ、この弁体２７を回動操作軸３１及び操作つまみ３３によって回動操作するようにした。又、前記弁室１７ｃ内には導入口１７ａから弁室１７ｃ内に導かれた原水の圧力が作用し、この圧力によって弁体２７を弁座２６に押圧し、弁座２６と弁体２７の接触界面のシールを図るようにした。このため、前記弁体２７を回動操作するための操作力を低減し、前述した三つのモードの切り換え動作のフィーリングを向上することができる。
【００３３】
（５）上記実施形態では、弁座２６の第１〜第３弁孔２６ａ，２６ｂ，２６ｃに対し、シールリング部２６ｄを一体的に形成し、弁体２７の裏面を接触するようにした。このため、弁座２６の表面全体に弁体２７の裏面を接触させるのと比較し、第１弁孔〜第３弁孔２６ａ，２６ｂ，２６ｃの周りのシール性を向上することができる。
【００３４】
（６）上記実施形態では、弁体２７と回動操作軸３１の間に付勢部材としてのバネＢを介在させ、弁体２７を弁座２６の表面に押圧するようにした。このため、水圧が低下したときにも弁座２６に対し弁体２７を適正に接触させて、弁座２６と弁体２７の接触界面のシール性を向上することができる。
【００３５】
（７）上記実施形態では、弁室１７ｃの底面に対し弁座２６を収容し、この弁座２６をＥＰＤＭ等のゴムにより形成したので、弁座２６が摩耗したとき容易に取り換えを行うことができる。弁座２６に対しシールリング部２６ｄを型成形により容易に形成することができ、製造を安価に行うことができる。
【００３６】
（８）上記実施形態では、弁座２６に対し３つの第１弁孔〜第３弁孔２６ａ，２６ｂ，２６ｃを形成し、弁体２７に対し第１及び第２ポート２７ａ，２７ｂを１８０°隔てて形成した。このため、原水ストレートモード、原水シャワーモード、浄水ストレートモードの間で択一的に切り換える動作を弁体２７の回動操作を小さい角度（１２０°）で行うことができ、モードの切り換え動作を容易に行うことができる。
【００３７】
なお、本実施形態は以下のように変更してもよい。
○  前記弁座２６に対し２つの第１及び第２弁孔２６ａ，２６ｂのみを形成してもよい。又、弁体２７の第１及び第２ポート２７ａ，２７ｂを１つにしてもよい。さらに、第１〜第３弁孔２６ａ，２６ｂ，２６ｃを四つ以上にしてもよい。
【００３８】
○  弁座２６を省略し弁体２７の裏面を第１〜第３開口１７ｅ，１７ｆ，１７ｇに接触させるようにしてもよい。
○  浄水器１５に代えて、湯沸かし器あるいは蓄熱装置等の加熱手段を用いてもよい。
【００３９】
○  前記弁座２６及び第１〜第３開口１７ｅ〜１７ｇの周囲に形成した係合突条１７ｏを省略し、これに代えて第１〜第３開口１７ｅ〜１７ｇの周囲に環状溝を形成し、その内部に円環状のシールリングを係合する。このシールリングに前記弁体２７の裏面を接触させてもよい。
【００４０】
前述した実施形態から把握される請求項以外の技術的思想について、以下に説明する。
（技術的思想１）  請求項１〜５のいずれか１項において、原水の導入口、弁室及び複数の原水通路を形成した弁ハウジングの前記弁室に対し、前記複数の原水通路にそれぞれ連通される複数の弁孔を有する弁座を設け、該弁座に対し前記弁孔に連通可能な少なくとも１つのポートを有する弁体を回動して位置の切換可能に接触し、該弁体の上流側の表面に原水の圧力を受ける受圧面を設け、前記弁座と弁体の接触界面のシールを前記受圧面に作用する原水の圧力によって行い、前記弁ハウジングと前記弁体との間に該弁体の回動操作を行う回動操作機構を設けたことを特徴とする切換弁における弁体の切換操作機構。
【００４１】
（技術的思想２）  技術的思想１において、前記弁座には第１〜第３の弁孔が設けられ、前記弁体には第１及び第２のポートが設けられ、該弁体を回動操作することにより前記第１〜第３の弁孔が前記第１又は第２のポートと択一的に連通されるように構成されている切換弁における弁体の切換操作機構。
【００４２】
（技術的思想３）  技術的思想１又は２において、前記弁座は前記弁室を構成する弁ハウジングと別の部材により形成され、弁室内の所定位置に嵌入されている切換弁における弁体の切換操作機構。
【００４３】
（技術的思想４）  技術的思想１〜３のいずれか１項において、前記弁座の弁孔の周縁には、前記弁体の受圧面と反対側の裏面に接触されるシールリング部が形成されている切換弁における弁体の切換操作機構。
【００４４】
（技術的思想５）  技術的思想１〜４のいずれか１項において、前記弁体は付勢部材によって弁座側に所定の付勢力で押圧されている切換弁における弁体の切換操作機構。
【００４５】
（技術的思想６）  技術的思想１〜４のいずれか１項において、前記回動操作機構は前記弁ハウジングの所定位置において前記弁室の開口部に嵌合固定された軸受と、該軸受の軸受孔に対し所定位置において往復回動可能に貫通支持された回動操作軸と、該回動操作軸を前記弁体に同期回動可能に連係することと、前記回動操作軸の外端部に連結された操作つまみとにより構成されている切換弁における弁体の切換操作機構。
【００４６】
（技術的思想７）  技術的思想１〜６のいずれか１項において、前記導入口は原水を水道等の蛇口から導入するようになっており、前記複数の原水通路は、原水を浄水器側へ供給する第１原水通路、原水をシャワーで放出する第２原水通路及び原水をストレートに吐出する第３原水通路である切換弁における弁体の切換操作機構。
【００４７】
（技術的思想８）  技術的思想７において、前記第１原水通路には、熱水防止弁及び定量栓が設けられている切換弁における弁体の切換操作機構。
（技術的思想９）  技術的思想８において、前記第１原水通路には該通路内の圧力が所定値以上になった場合にその圧力を前記第２原水通路又は第３原水通路に放出する安全弁が設けられている切換弁における弁体の切換操作機構。
【００４８】
（定義）
この明細書において、原水は水道の蛇口から吐出される水の他、液体供給源から吐出される液体も含む原液を意味する。
【００４９】
【発明の効果】
以上詳述したように、この発明は弁ハウジングのボス部に組み付けられる軸受の組付状態を確実にし、ボス部の外周面の外観も損なわれることがないという利点がある。
【図面の簡単な説明】
【図１】この発明の切換弁の一実施形態を示す中央部縦断面図。
【図２】切換弁の中央部平断面図。
【図３】切換弁の縦断面図。
【図４】この発明の要部を示す断面図。
【図５】位置決めピンの拡大正面図。
【図６】位置決めピンの拡大端面図。
【図７】弁ハウジングの中央部縦断面図。
【図８】弁ハウジングの中央部平断面図。
【図９】弁ハウジングの断面図。
【図１０】切換弁の使用状態を示す斜視図。
【図１１】切換弁の底面図。
【図１２】切換弁の弁機構を分解して示す斜視図。
【図１３】整流板、シャワープレート及びジョイントリングの分解斜視図。
【図１４】（ａ）〜（ｃ）は切換弁の切り換え動作を示す説明図。
【符号の説明】１１…切換弁、１７…弁ハウジング、１７ｍ…ボス部、１７ｃ…弁室、１７ｒ…内周面、２７…弁体、２８…軸受、２８ｉ…挿入孔、２８ｊ…係止凹部、３４…ビス、３１…回動操作軸、５１…位置決めピン、５１ｂ…スリット、５１ｃ…係止凸部。
【図１】
2004218653.tif 000003
【図２】
2004218653.tif 000004
【図３】
2004218653.tif 000005
【図４】
2004218653.tif 000006
【図５】
2004218653.tif 000007
【図６】
2004218653.tif 000008
【図７】
2004218653.tif 000009
【図８】
2004218653.tif 000010
【図９】
2004218653.tif 000011
【図１０】
2004218653.tif 000012
【図１１】
2004218653.tif 000013
【図１２】
2004218653.tif 000014
【図１３】
2004218653.tif 000015
【図１４】
2004218653.tif 000016